(57)【要約】      （修正有）【課題】屋内施設の床に求められる、床の固さ試験、弾力性試験、たわみ試験、繰り返し衝撃試験のＪＩＳ規格（ＪＩＳ  Ａ  ６５１９）を満たすことができる安全性の高いウッドデッキを提供する。【解決手段】基準面の上方に相互に平行に配設される複数の大引鋼１１と、大引鋼上において直交して互いに平行に配設される複数の根太鋼１２と、基準面上に配設された大引鋼を、大引鋼と根太鋼との交差部１７において支持する複数の支持脚部材１３と、根太鋼上に配設されたデッキ部材とから構成されており、支持脚部材の間隔寸法Ｌ１は４５０ｍｍ〜９００ｍｍで、大引鋼の間隔寸法Ｌ２は４５０ｍｍ〜９００ｍｍで、根太鋼の間隔寸法Ｌ３は２５０ｍｍ〜５００ｍｍで構成されている。【選択図】図２
0003211773.tif 000002
【実用新案登録請求の範囲】
【請求項１】
基準面の上方に相互に平行に配設される複数の大引鋼と、前記大引鋼上において直交して互いに平行に配設される複数の根太鋼と、基準面上に配設された前記大引鋼を、前記大引鋼と前記根太鋼との交差部において前記大引鋼及び前記根太鋼を支持する複数の支持脚部材と、前記根太鋼上に配設されたデッキ部材とを有するウッドデッキであって、前記支持脚部材の間隔寸法は４５０ｍｍ〜９００ｍｍであり、前記大引鋼の間隔寸法は４５０ｍｍ〜９００ｍｍであり、前記根太鋼の間隔寸法は２５０ｍｍ〜５００ｍｍであることを特徴とするウッドデッキ。
【請求項２】
ＪＩＳ  Ａ  ６５１９に準拠して測定した硬さが１００Ｇｓ以下であり、弾力性値は最高値が１．３７８〜０．０であり、最低値が１．３７８〜−０．２であり、緩衝効果値は１５〜４０であり、振動の減衰時間は０．４５秒以下であり、最大たわみ量は２０ｍｍ以下であり、最大残留たわみ量は１．５ｍｍ以下であることを特徴とする請求項１記載のウッドデッキ。
【請求項３】
前記デッキ部材は、前記基準面から上方へ１３５ｍｍ〜４５０ｍｍの高さ位置に配設されることを特徴とする請求項１記載のウッドデッキ。
【請求項４】
前記支持脚部材は、支持脚本体部と、前記支持脚本体の下端部に装着された耐候性のある弾性部材からなるブーツ部とを有することを特徴とする請求項１記載のウッドデッキ。
【請求項５】
前記デッキ部材は、中空に形成されていることを特徴とする請求項１記載のウッドデッキ。
【考案の詳細な説明】
【技術分野】
【０００１】
本考案は、ウッドデッキに係り、特に、屋内施設と同等の安全性を有するウッドデッキに関するものである。
【背景技術】
【０００２】
一般に、ウッドデッキのデッキ部材には、耐久性や、メンテナンスの観点から、天然木よりも木粉とプラスチック材を混合して製造された樹脂木が採用されることが多いが、その表層部は体育館で使用される合板やフローリング材のように木材から製造されていないため、所定以上の衝撃に耐えうるだけの強度を有していない。
この場合、体育館等の屋内施設においては、床の硬さ、弾力性、重量物を載せた場合のたわみ量、耐衝撃性の安全性を考慮したＪＩＳ規格が設けられているのに対して、屋外に設置されるウッドデッキにおいては、ＪＩＳ規格や公共の基準が設けられていない。
従って、例えば、幼稚園の屋外スペースに従来のウッドデッキを設置した場合に、ウッドデッキ上で多くの子供たちが飛び跳ねたり、走り回ることでウッドデッキ材の表層部が衝撃に耐え切れず、破損して怪我をするおそれがある。
また弾力性、耐衝撃性を考慮していないことからウッドデッキ上で子供や高齢者が転倒した場合に怪我をするおそれもある、という不具合があった。
【０００３】
本件出願人は、このような観点から先行技術の調査を行い、特許文献１及び２のような文献を発見したが、前記要請に応えられる技術ではなかった。
【先行技術文献】
【特許文献】
【０００４】
【特許文献１】特許第５１１２７１７号公報
【特許文献２】特開２００５−４２３４８号公報
【考案の概要】
【考案が解決しようとする課題】
【０００５】
本考案の課題は、屋内施設の床に求められる、床の固さ試験、弾力性試験、たわみ試験、繰り返し衝撃試験のＪＩＳ規格（ＪＩＳ  Ａ  ６５１９）を満たすことができる安全性の高いウッドデッキを提供することである。
【課題を解決するための手段】
【０００６】
前記課題達成のため、請求項１記載の考案にあっては、基準面の上方に相互に平行に配設される複数の大引鋼と、前記大引鋼上において直交して互いに平行に配設される複数の根太鋼と、基準面上に配設された前記大引鋼を、前記大引鋼と前記根太鋼との交差部において支持する複数の支持脚部材と、前記根太鋼上に配設されたデッキ部材とを有するウッドデッキであって、前記支持脚部材の間隔寸法は４５０ｍｍ〜９００ｍｍであり、前記大引鋼の間隔寸法は４５０ｍｍ〜９００ｍｍであり、前記根太鋼の間隔寸法は２５０ｍｍ〜５００ｍｍであることを特徴とする。
【０００７】
従って、請求項１記載の考案にあっては、前記大引鋼の間隔寸法、前記根太鋼の間隔寸法に合わせて、前記大引鋼及び前記根太鋼の配設数及び前記大引鋼と前記根太鋼との交差部において支持する支持脚部材の配設数が調節される。
【０００８】
請求項２記載の考案にあっては、ＪＩＳ  Ａ  ６５１９に準拠して測定した床の硬さが１００Ｇｓ以下であり、弾力性値は最高値が１．３７８〜０．０であり、最低値が１．３７８〜−０．２であり、緩衝効果値は１５〜４０であり、振動の減衰時間は０．４５秒以下であり、最大たわみ量は２０ｍｍ以下であり、最大残留たわみ量は１．５ｍｍ以下のウッドデッキであることを特徴とする。
【０００９】
従って、請求項２記載の考案にあっては、ＪＩＳ  Ａ  ６５１９に準拠して測定した床の硬さ、弾力性値、緩衝効果値、振動の減衰時間、最大たわみ量、最大残留たわみ量がＪＩＳの規格値を満たすことにより、前記ウッドデッキは、体育館等の屋内施設と同等の安全性となる。
【００１０】
請求項３記載の考案にあっては、前記デッキ部材は、前記基準面から上方１３５ｍｍ〜４５０ｍｍの高さ位置に配設されることを特徴とする。
【００１１】
請求項４記載の考案にあっては、前記支持脚部材は、支持脚本体部と、前記支持脚本体の下端部に装着された耐候性のある弾性部材からなるブーツ部とを有することを特徴とする。
【００１２】
従って、請求項４記載の考案にあっては、前記ブーツ部は耐候性のある弾性部材であるため、屋外に設置された場合であっても短期間で劣化することはない。
【００１３】
請求項５記載の考案にあっては、前記デッキ部材は、中空に形成されていることを特徴とする。
【００１４】
従って、請求項５記載の考案にあっては、前記デッキ部材は中空に形成されていることから、一度にたくさんの前記デッキ材の運搬及び設置が容易となる。
【考案の効果】
【００１５】
請求項１記載の考案に係るウッドデッキにあっては、基準面の上方に相互に平行に配設される複数の大引鋼と、前記大引鋼上において直交して互いに平行に配設される複数の根太鋼と、基準面上に配設された前記大引鋼を、前記大引鋼と前記根太鋼との交差部において支持する複数の支持脚部材と、前記根太鋼上に配設されたデッキ部材とを有し、前記支持脚部材の間隔寸法は４５０ｍｍ〜９００ｍｍであり、前記大引鋼の間隔寸法は４５０ｍｍ〜９００ｍｍであり、前記根太鋼の間隔寸法は２５０ｍｍ〜５００ｍｍにすることにより、前記大引鋼の間隔寸法、前記根太鋼の間隔寸法に合わせて、前記大引鋼及び前記根太鋼の配設数及び前記大引鋼と前記根太鋼との交差部において支持する支持脚部材の配設数を調節することができることから、ＪＩＳ規格を満たすための最適な間隔寸法を選択することができる。
【００１６】
その結果、ウッドデッキ上で多くの子供たちが飛び跳ねたり、走り回ってもデッキ材が破損することなく、子供たちや高齢者が転倒した場合においても怪我をするおそれがないウッドデッキを提供することができる。
【００１７】
請求項２記載の考案に係るウッドデッキにあっては、ＪＩＳ  Ａ  ６５１９に準拠して測定した床の硬さが１００Ｇｓ以下であり、弾力性値は最高値が１．３７８〜０．０であり、最低値が１．３７８〜−０．２であり、緩衝効果値は１５〜４０であり、振動の減衰時間は０．４５秒以下であり、最大たわみ量は２０ｍｍ以下であり、最大残留たわみ量は１．５ｍｍ以下であることから、体育館等の屋内施設と同等の安全性を得ることができる。
【００１８】
その結果、子供たちや高齢者は、安心してウッドデッキ上で過ごすことができる。
【００１９】
請求項３記載の考案に係るウッドデッキにあっては、前記デッキ部材は、前記基準面から上方へ１３５ｍｍ〜４５０ｍｍの高さ位置に配設されることから、室内から屋外にバリアフリーで出入り可能となる。
【００２０】
その結果、子供たち又は高齢者は、室内から直接屋外のウッドデッキ上に出る際には、屋内の出入り口と屋外のウッドデッキとの間に生じる段差による転倒する心配がなく、また段差による脚、特に、膝にかかる負担を軽減することができる。
【００２１】
請求項４記載の考案に係るウッドデッキにあっては、前記支持脚部材は、支持脚本体部と、前記支持脚本体の下端部に装着された耐候性のある弾性部材からなるブーツ部とを有することから、前記ブーツ部は、屋外に設置された場合であっても短期間で劣化することはないため、長期間安全に使用することができる。
【００２２】
その結果、メンテナンスの回数を減らすことができるため、ウッドデッキを維持する費用を削減することができる。
【００２３】
請求項５記載の考案に係るウッドデッキにあっては、前記デッキ部材は、中空に形成されており、中空に形成されていない無垢材とは異なり、軽量化されていることから、一度にたくさんの前記デッキ材を運搬でき、設置も容易となるので、ウッドデッキの設置作業を円滑に行うことができる。
【００２４】
その結果、ウッドデッキの施工者は、安全に、短時間で作業を終えることができる。
【図面の簡単な説明】
【００２５】
【図１】図１は、本考案の一実施の形態に係るウッドデッキを示す断面図である。
【図２】図２は、本考案の一実施の形態に係るウッドデッキを構成する大引鋼及び根太鋼を示し、大引鋼ピッチを４５０ｍｍに、根太鋼ピッチを２５０ｍｍに、支持脚ピッチを４５０ｍｍに設定した場合のウッドデッキの平面図である。
【図３】図３は、本考案の一実施の形態に係るウッドデッキにおいて、大引鋼ピッチを９００ｍｍに、根太鋼ピッチを５００ｍｍに、支持脚ピッチを９００ｍｍに設定した場合のウッドデッキの平面図である。
【考案を実施するための最良の形態】
【００２６】
以下、添付図面に示す実施の形態に基づき、本考案を詳細に説明する。
図１〜図３に示すように、本実施の形態に係るウッドデッキ１０にあっては、基準面としての地面１８の上方に相互に平行に配設される複数の大引鋼１１と、大引鋼１１上において直交して互いに平行に配設される複数の根太鋼１２と、基準面としての地面１８上に配設された大引鋼１１を、大引鋼１１と根太鋼１２との交差部１７において支持する複数の支持脚部材１３と、根太鋼１２上に配設されたデッキ部材１４とから構成されている。
【００２７】
また、大引鋼１１の間隔寸法Ｌ２は４５０ｍｍ〜９００ｍｍで、根太鋼１２の間隔寸法Ｌ３は２５０ｍｍ〜５００ｍｍで、支持脚部材１３の間隔寸法Ｌ１は４５０ｍｍ〜９００ｍｍで構成されている。
【００２８】
本実施の形態に係るウッドデッキ１０にあっては、ＪＩＳ  Ａ  ６５１９に準拠して測定したウッドデッキの硬さ（床の硬さ）が１００Ｇｓ以下であり、弾力性値は最高値が１．３７８〜０．０であり、最低値が１．３７８〜−０．２であり、緩衝効果値は１５〜４０であり、振動の減衰時間は０．４５秒以下であり、最大たわみ量は２０ｍｍ以下であり、最大残留たわみ量は１．５ｍｍ以下となるように構成されている。
【００２９】
図１に示すように、本実施の形態に係るウッドデッキ１０にあっては、デッキ部材は、基準面から上方へ１３５ｍｍ〜４５０ｍｍの高さ位置に配設されるように構成されている。
【００３０】
図１に示すように、本実施の形態に係るウッドデッキ１０にあっては、支持脚部材１３は、支持脚本体部１５と、支持脚本体部１５の下端部に装着された耐候性のある弾性部材からなるブーツ部１６から構成される。
【００３１】
また、図２及び３に示すように、大引鋼１１の間隔寸法Ｌ２、根太鋼１２の間隔寸法Ｌ３の間隔寸法に合わせて、適宜個数の支持脚部材１３が配設されるように構成されている。
【００３２】
図１に示すように、本実施の形態に係るウッドデッキ１０にあっては、デッキ部材１４は、中空に形成されている。即ち、デッキ部材１４は平面細長長方形状に形成された細長長方形状のデッキ部材構成材１４ａにより形成され、内部には幅方向に沿って貫通する断面方形状の空隙部２０が多数設けられている。
【００３３】
図１に示すように、本実施の形態に係るウッドデッキ１０にあっては、デッキ部材１４は、夫々隣り合うデッキ部材１４と固定部材１９により接続固定されている。
【実施例】
【００３４】
以下に、本考案の実験例及び結果を記載する。
【００３５】
（実験例）
１．試験体使用部材
支持脚    ：ＰＤＢ−１４０型（品番）支持脚
大引鋼    ：ハット型鋼材
根太鋼    ：ハット型鋼材
デッキ材  ：中空タイプ
仕上げ床高：Ｈ＝２００ｍｍ
２．試験体番号
（１）：本考案に係るウッドデッキの大引鋼、根太鋼、支持脚の間隔
（２）：一般的なウッドデッキの大引鋼、根太鋼、支持脚の間隔
【表１】
0003211773.tif 000003
２．かたさ試験の結果
（試験方法）
床上にゴム板を敷き、高さ２０ｃｍから質量３．８５ｋｇのヘッドモデルを自由落下させ床に衝突したときの加速度を測定し、転倒衝突時の硬さを求める。
（試験結果）
上記試験方法に従って行った試験結果について表２に示す。
【表２】
0003211773.tif 000004
【００３６】
以下、本実施の形態に係るウッドデッキの作用及び効果について説明する。
図２及び図３に示すように、本実施の形態に係るウッドデッキ１０あっては、ウッドデッキの施工者が、設置場所に合わせて、支持脚部材１３の間隔寸法Ｌ１を４５０ｍｍ〜９００ｍｍの間で、大引鋼１１の間隔寸法Ｌ２を４５０ｍｍ〜９００ｍｍの間で、根太鋼１２の間隔寸法Ｌ３を２５０ｍｍ〜５００ｍｍの間から選択することにより、設置場所の広さに関係なくＪＩＳ規格を満たすための最適な間隔寸法を選択することができる。
【００３７】
従って、ウッドデッキ１０上で多くの子供たちが飛び跳ねたり、走り回ってもデッキ材１４の表層面が破損することによる怪我を防止することができるとともに、子供たちや高齢者がウッドデッキ１０上で転倒した場合においても怪我の防止することができる。
【００３８】
図２及び図３に示すように、本実施の形態に係るウッドデッキ１０あっては、ウッドデッキの施工者が、支持脚部材１３の間隔寸法Ｌ１を４５０ｍｍ〜９００ｍｍの間で、大引鋼１１の間隔寸法Ｌ２を４５０ｍｍ〜９００ｍｍの間で、根太鋼１２の間隔寸法Ｌ３を２５０ｍｍ〜５００ｍｍの間から最適な間隔寸法を選択することにより、ＪＩＳ  Ａ  ６５１９に準拠して測定した床の硬さが１００Ｇｓ以下であり、弾力性値は最高値が１．３７８〜０．０であり、最低値が１．３７８〜−０．２であり、緩衝効果値は１５〜４０であり、振動の減衰時間は０．４５秒以下であり、最大たわみ量は２０ｍｍ以下であり、最大残留たわみ量は１．５ｍｍ以下にすることができることから、体育館等の屋内施設と同等の安全性を得ることができる。
【００３９】
従って、子供たちや高齢者は、怪我の心配をすることなく安心してウッドデッキ１０上で過ごすことができる。
【００４０】
図１に示すように、本実施の形態に係るウッドデッキ１０あっては、ウッドデッキの施工者が、デッキ部材を前記基準面としての地面１８から上方へ１３５ｍｍ〜４５０ｍｍの高さ位置に配設することにより、子供たち又は高齢者は室内から屋外にバリアフリーで容易に出入りすることができる。
【００４１】
従って、子供たち又は高齢者は、室内から直接屋外のウッドデッキ上に出る際には、屋内の出入り口と屋外のウッドデッキとの間に生じる段差による転倒する心配がなく、また段差による脚、特に、膝にかかる負担を軽減することができる。
【００４２】
図１に示すように、本実施の形態に係るウッドデッキ１０にあっては、支持脚部材１３は、支持脚本体部１５と、支持脚本体部１５の下端部に装着された耐候性のある弾性部材からなるブーツ部１６から構成されていることから、屋外に設置された場合であっても短期間で劣化することはないため、長期間安全に使用することができる。
【００４３】
また、図２及び図３に示すように、大引鋼１１の間隔寸法Ｌ２、根太鋼１２の間隔寸法Ｌ３の間隔寸法を狭く配置することにより、支持脚本体部１５の下端部に装着された耐候性のある弾性部材からなるブーツ部１６の配置数を増加させることができるため、ＪＩＳ  Ａ  ６５１９に準拠して測定した床の硬さ、弾力性値、緩衝効果値、振動の減衰時間、最大たわみ量、最大残留たわみ量の数値をＪＩＳ規格の数値内に収めることができる。
【００４４】
従って、ウッドデッキ１０の施工者は、容易に安全性の高いウッドデッキ１０を施工することができるとともに、設置後においては支持脚部材１３のメンテナンスの回数を減らすことができるため、ウッドデッキ１０を維持する費用を削減することができる。
【００４５】
図１に示すように、本実施の形態に係るウッドデッキ１０にあっては、中空に形成されていない無垢材とは異なり、中空に形成されているデッキ部材１４を選択することにより、デッキ部材１４の重量は大幅に軽減されているため、ウッドデッキ１０の施工者は、一度にたくさんの前記デッキ部材を運搬でき、設置も容易となるので、設置作業を円滑に行うことができる。
【００４６】
従って、ウッドデッキの施工者は、重量物を運搬する必要がないため、安全に、短時間で作業を終えることができる。
【００４７】
図１に示すように、本実施の形態に係るウッドデッキ１０にあっては、デッキ部材１４は、夫々隣り合うデッキ部材１４に固定部材１９で固定されていることから、多くの子供たちがデッキ部材１４の上で遊んでも、デッキ部材１４が浮きあがってくることを防止することができる。
従って、子供たちはウッドデッキ１０上で安全に遊ぶことができる。
【産業上の利用可能性】
【００４８】
本考案は、安全性を考慮したウッドデッキであることから産業上の利用可能性を有している。
【符号の説明】
【００４９】
１０…ウッドデッキ
１１…大引鋼
１２…根太鋼
１３…支持脚部材
１４…デッキ部材
１５…支持脚本体部
１６…ブーツ部
１７…交差部
１８…基準面（地面）
１９…固定部材
Ｌ１…支持脚部材の間隔寸法
Ｌ２…大引鋼の間隔寸法
Ｌ３…根太鋼の間隔寸法
Ｌ４…デッキ部材の高さ寸法
【図１】
0003211773.tif 000005
【図２】
0003211773.tif 000006
【図３】
0003211773.tif 000007